(57)【要約】【課題】フィルタをプリーツ状に構成した安価で長寿命のエアーフィルタの提供。【解決手段】フィルタ２のろ過面積を多くするために、フィルタ２の表面に一定間隔に折曲部２１を構成し、この折曲部２１、２１・・を山折と谷折を交互に繰り返しながら折り畳んでフィルタ２をプリーツ状に構成し、このフィルタ２の表側（一次側）と裏側（二次側）の折曲部２１，２１・・にそれぞれネット３，３を固定してフィルタ２をサンドイッチ状に挟むことによって折曲部２１，２１・・の間隔を一定に保持する。さらに、上記フィルタ２を、金属製またはプラスチック製等の外枠４で保持した。【選択図】　　　　　　図２
0003098554.tif 000002
【実用新案登録請求の範囲】
【請求項１】
フィルタの表面に一定間隔に折曲部を構成し、この折曲部を折曲してフィルタをプリーツ状に構成し、このプリーツ状のフィルタの表側と裏側の折曲部にそれぞれネットを固定して、折曲部の間隔を一定に保持するエアーフィルタ。
【請求項２】
上記エアーフィルタを、金属製またはプラスチック製等の外枠で保持してなる請求項１記載のエアーフィルタ。
【考案の詳細な説明】
【０００１】
【考案の属する技術分野】
本考案は、家庭用、業務用あるいは産業用の空調用フィルタに使用されるプリーツ状のエアーフィルタに関するものである。
【０００２】
【従来の技術】
空調機には埃、塵等を除去する為に各種のフィルタが設けてあるが、このフィルタが目詰まりしてくると差圧が高くなるため、定期的にフィルタを洗浄、又は交換する必要がある。
【０００３】
最近はフィルタの年間経費の削減を目的として、フィルタの洗浄サイクルや交換サイクルを延長させることが多くなっている。そのためにフィルタのろ材の表面積を拡大させるためフィルタをプリーツ状にして、フィルタを長寿命化させると共に経費の大幅削減と廃棄物量を減少させて環境問題にも寄与出来るフィルタが求められている。特に中性能フィルタはコンパクトなミニプリーツタイプが主流になろうとしている。更に交換可能なフィルタも多くなっている。
このような状況に伴い、実用登録第３０７９０９１号に提案されているような粗塵フィルタでさえ、従来はパネル式フィルタが主流であったが、高効率で長寿命なプリーツ式が採用されてきているのである。
【０００４】
上述のプリーツ状のフィルタを製作する場合、フィルタのプリーツのピッチ間隔を安定保持しなくてはならない。この安定保持の代表的な方法は次のとおりであった。
第１の方法は、アルミ箔をジグザグに折り畳んでそれをフィルタのプリーツ間に挿入して、フィルタのプリーツの間隔を一定に保持させているものである。
第２の方法は、フィルタに対して接着剤を水平方向で約２５ｍｍの間隔ピッチで、約５ｍｍ程度の幅と厚みをビード接着させてプリーツを保持するものである。
第３の方法は、フィルタの裏面に線材からなる約１ｍｍ程度の幅と厚みの金網を接着させ、この金網を折り曲げ加工することで、同時にフィルタのプリーツを保持させる方法である。
【０００５】
一方、プリーツのピッチ間隔の幅を短くしてプリーツの数を多くする、いわゆるミニプリーツフィルタでは、上記の方法のうち、第１の方法は無理であるため、第２の方法か第３の方法が用いられていた。
【０００６】
【考案が解決しようとする課題】
しかしながら、上記第２の方法と第３の方法は、いずれも有効ろ過面積が約１０〜２０％少なくなってしまうという問題点があるため、フィルタのろ過面積を拡大させる目的を達成できなくなる。
【０００７】
上述の第１の方法では、アルミ箔をジグザグ形状に折り畳むのは手間がかかるうえに、極薄のアルミ箔を使用するために、製作中アルミ箔に凹みが生じてしまい商品価値を損なうことが起こった。
また、フィルタを廃棄処理するときには、フィルタと材質の異なるアルミ箔は分離して処理をしなくてはならないため、非常に手間がかかるという問題点があった。
【０００８】
上記第２の方法である接着剤を使用する方法では、難燃性の接着剤は高価で加工性も悪いため一般には使用されておらず、難燃性でない加工性の良い接着剤を使用して安価な製品を製作している。
しかしながら、例えば粗塵フィルタのように、通常難燃性フィルタが要求されているものでは、この要求を満足させるには高価で加工性が悪い接着剤でも使用せざるを得ない。そのためフィルタは高額になり普及するには不向きとなる。さらに廃棄処理する場合、特に接着剤は化学製品であるから燃焼すると有機ガスが発生するので環境上問題となる。
【０００９】
第３の方法である金網を張る方式では、通常市販の建材用のラス金網を利用している場合が多い。このラス金網は平面で使用されるのが通常である。そのため、このラス金網を短いピッチで折り畳んで多数のプリーツ形状を作るのは不向きであり、折り畳み加工による錆びの発生が生じやすい等の欠点が生じたため、プリーツの安定保持には不安が残る。
【００１０】
この金網を更に化学製品の接着剤と接合させると、劣化した場所があれば金属腐食が発生する恐れがある。もし錆びが発生すると、金網は破れてフィルタを損傷させることになる。
更に風圧でフィルタはプリーツの形状を保持することが難しくなる。使用している接着剤が難燃性のものであれば、上述と同様に高額なフィルタとなる。また廃棄物として処理する折にフィルタと金網を剥離分離は不可能に近いため分離はできない。
【００１１】
本考案は上記のような課題を解決すために、フィルタに係わるコスト、経費の削減対策、その他環境改善処置対策として、フィルタの交換周期の延長を目的とした長寿命で、安価で環境を害さないエアーフィルタを提供するものである。
【００１２】
【課題を解決するための手段】
本考案の要旨とするところは、フィルタの表面に一定間隔に折曲部を構成し、この折曲部を山折と谷折を交互に繰り返しながら折り畳んでフィルタをプリーツ状に構成し、このフィルタの表側（一次側）と裏側（二次側）の折曲部にそれぞれネットを固定してフィルタをサンドイッチ状に挟むことによって、折曲部の間隔を一定に保持することにある。
【００１３】
また、本考案の要旨は、上記エアーフィルタを、金属製またはプラスチック製等の外枠で保持したことにある。
【００１４】
【考案の実態の形態】
本考案の実施形態を図面に基づいて詳述する。図１はエアーフィルタの全体斜視図、図２はエアーフィルタの断面側面図及び図３は金属製のネットの平面図である。
【００１５】
本実施形態では、エアーフィルタ１を構成するフィルタ（ろ材）の材料としては、ポリプロピレンの合成繊維を使用した。このフィルタ２の表面に一定間隔に平行な折曲部２１を複数設け、この折曲部２１、２１・・を交互に折り曲げる。すなわち、折曲部２１，２１・・を、山折と谷折を交互に繰り返して折り畳んでいき、図１あるいは図２に示すように、フィルタ２をプリーツ状に折り畳むのである。
【００１６】
フィルタ２の材料は、例えばスチールウール、ガラス繊維無機材、合成繊維（ポリプロピレン系、ポリエステル系）ポリウレタン、セルローズ、生分解繊維等からなる材料のいずれであってもよい。また、折山の高さおよび折山の数は任意に決定できる。
【００１７】
このようにして、折山高さ２０ｍｍ、折山数４０個を構成したフィルタ２を形成する。そして、図２に示すように、フィルタ２の折曲部２１と折曲部２１の間隔、すなわちフィルタ２の折曲部２１のピッチ間隔を安定して保持するために、フィルタ２の一次側Ａと二次側Ｂの両側の折曲部２１，２１・・上にネット３、３を固定して、折曲部２１の移動を防ぎ、フィルタ２の表面２２同士の接触を防いでいる。
【００１８】
このネット３は本実施形態では、図３に示すような形状で、線材幅約１ｍｍ、厚さ約１ｍｍで、開口の一辺が約２．５ｍｍからなるアルミ製菱形金網である。この金網をフィルタ２の両側の折曲部２１に接着材で接着固定して、全体としてネット３でフィルタ２をサンドイッチ状に挟んだ構成とする。
このネット３の材質や大きさあるいは形状は、本実施形態のものに限定されず他の公知の材質等を採用できる。
【００１９】
ネット３は、面で使用するため形状変化はゼロである。また、フィルタ２の折曲部２１の一部とネット３の一部が接着されているだけであるため、フィルタ２の有効ろ過面積にほとんど影響を与えず、フィルタ２を拡大させるフィルタプリーツ方式としては効果的なやり方である。
更に廃棄処理する場合にも、ネット３を剥離分離することが容易で、特に鋭利なナイフのような冶具を利用すれば簡単に処理が可能である。
フィルタと同材質のネットを採用する場合は分離する必要はない。
【００２０】
一方、上記外枠４は、厚さ１．２ｍｍの亜鉛メッキ鋼板製であり、上記ネット３，３で固定されたフィルタ２の周囲に取り付けられて，フィルタ２を収納固定している。
このようにして構成した本実施形態のエアーフィルタ１は、業務用空調用フィルタとして多数採用されているサイズであり、６１０ｍｍ×６１０ｍｍで、フィルタ厚み２０ｍｍである。
【００２１】
フィルタ２の外枠４は、上記のような金属製以外にもプラスチック製、紙製、繊維製で作成することができる。
フィルタ外枠４を紙枠製または繊維製を採用して製品とした場合、外枠４の厚みを薄くして、フィルタ交換用フィルタとして採用する。フィルタ全体の構造を強化するには、フィルタ交換専用枠を採用する。例えば交換専用枠としては金属製またはプラスチック製があり、この場合のフィルタ交換用枠は破損がない限り永久に使用する。
【００２２】
本実施形態のエアーフィルタ１の特徴は、従来のプリーツ式のフィルタに比べ非常にシンプルな形状であり、製作に手間が掛からず大掛かりな設備は不要である。そのために、高価な難燃性接着剤を使用しても従来品より安価になるというメリットがある。
また、フィルタ２のろ過面積が多くなり、フィルタ２が長寿命となり交換サイクルの延長が可能となった。更にフィルタ２のコンパクト化が図れる。その上、安価であり廃棄処理時にはフィルタとネットを分離する事は簡単な作業で可能であるため環境破壊等の問題が生じないのである。
【００２３】
さらに、本実施形態では、上述のようなネット３を使用しているため次のような効果も生じる。すなわち、天井に設置された空調機ではエアーフィルタ１は下に向いて取り付けられている。下方から吸い込まれた空気中のゴミやホコリは、フィルタ２に引掛かり細いひも状となって堆積していく。そして、ある程度の重量を超えるとフィルタ２から離れて下方に落下していくのである。
従来は、この堆積したゴミやホコリが机の上などに落下して衛生的でなかった。しかし本実施形態によれば、この堆積したゴミやホコリがネット３に引掛って止められて、机の上などへの落下が防げるという効果が生じる。
【００２４】
【考案の効果】
以上詳述した如く、本考案のエアーフィルタは、製作のために大幅な設備を必要とせず安価なコストで簡易に製作できると共に、長寿命で廃棄処理量の減少と環境問題対策に有効であり、さらに衛生的である等の効果を奏する。
【図面の簡単な説明】
【図１】本考案の一実施形態のエアーフィルタの全体斜視図
【図２】本考案の一実施形態のエアーフィルタの断面側面図
【図３】本考案の一実施形態のネットの平面図
【符号の説明】
１　エアーフィルタ
２　フィルタ
２１　折曲部
２２　フィルタの表面
３　ネット
４　外枠
【図１】
0003098554.tif 000003
【図２】
0003098554.tif 000004
【図３】
0003098554.tif 000005